(57)【要約】【課題】携帯型医療機器に関し、特に血糖計等の利用者に多い、視覚障害者も容易に操作ができる携帯型医療機器を提供する。【解決手段】機器本体１の内部または外部に電池８を収納する電池収納部２と、電池収納部２を覆うようにヒンジ４で機器本体１に取り付けられた電池蓋３とを有し、電池蓋３は、電池８の出し入れを補助するガイド機構９を備え、このガイド機構９は、電池蓋３の裏面に配置された２個以上の突起または電池８の外形の少なくとも一部に合った形状とした溝である。【選択図】図１
2010040290.tif 000002
【特許請求の範囲】
【請求項１】
機器本体の内部または外部に電池を収納する電池収納部と、前記電池収納部を覆う電池蓋とを有し、
前記電池蓋は、電池の出し入れを補助するガイド機構を備えたことを特徴とする携帯型医療機器。
【請求項２】
前記ガイド機構は、前記電池蓋の裏面に配置され、突起または溝であることを特徴とする請求項１記載の携帯型医療機器。
【請求項３】
前記突起は２個以上有し、前記電池を前記突起により挟む構成としたことを特徴とする請求項２記載の携帯型医療機器。
【請求項４】
前記溝の形状は前記電池の外形の少なくとも一部に合った形状としたことを特徴とする請求項２記載の携帯型医療機器。
【請求項５】
機器本体の内部または外部に電池を収納する電池収納部と、前記電池収納部を覆う電池蓋とを有し、
前記電池蓋はヒンジ部を有し、前記ヒンジ部を介して前記機器本体と一体に構成され、前記ヒンジ部にある支点を中心として所定の角度で開放されることを特徴とする携帯型医療機器。
【請求項６】
前記電池蓋は、電池の出し入れを補助するガイド機構を備えたことを特徴とする請求項５に記載の携帯型医療機器。
【請求項７】
前記電池蓋は所定の角度で開放された時、開放された状態を維持する電池固定機構が設けられたことを特徴とする請求項５記載の携帯型医療機器。
【請求項８】
前記電池蓋に所定以上の開放するための力が作用すると、機器本体と前記ヒンジ部の係合が解除され、前記電池蓋は前記機器本体から分離することを特徴とする請求項５記載の携帯型医療機器。
【請求項９】
前記電池蓋は前記機器本体に対してスライドする機構が設けられており、このスライドにより前記電池蓋が前記機器本体に係止されることを特徴とする請求項１記載の携帯型医療機器。
【発明の詳細な説明】
【技術分野】
【０００１】
本発明は携帯型医療機器に関し、特に電池の交換に関するものである。
【背景技術】
【０００２】
従来の携帯型医療機器の多くは電池が使用されており、使用されている電池蓋の種類は電子機器などと同様に、構成において大きく２種類に大別される。一つは、機器本体から分離して電池蓋が取付、取り外しされる構成で、もう一つは機器本体と電池蓋が一体となって開閉される構成となっている。
【０００３】
図９に従来の機器本体と電池蓋が一体となった携帯型医療機器の構成図を示す。図９の携帯型医療機器は、機器本体１、電池収納部２、電池蓋３、ヒンジ４、ロック部５、電池押さえ溝６、電池固定溝７、電池８を備えている。
【０００４】
電池を交換する際は、ロック部５を機器本体１から解除し、電池蓋３を持ち上げる。電池蓋３はヒンジ４を中心に開放され、電池８を電池収納部２から取り出す。電池蓋３の開放を保持したまま新たな電池８を電池収納部２に挿入する。電池蓋３を閉め、ロック部５により機器本体１に電池蓋３がロックされる。その際、電池蓋３には電池押さえ溝６、また電池収納部２の底面には電池固定溝７が備えられており、電池８が動かないように電池収納部２に固定される。
【特許文献１】国際公開第９９／０１０８６０号パンフレット（第１９図）
【発明の開示】
【発明が解決しようとする課題】
【０００５】
しかしながら、前記従来の構成では、電池の出し入れの際、電池蓋のロックを解除するのが難しく、また電池収納部の位置が特定しにくく、また片手で操作しにくいため、視覚障害者にとっては、電池の交換操作が非常に困難な状況になっていた。
【０００６】
そこで本発明は、視覚障害者も容易に電池の交換操作ができる携帯型医療機器を提供することを目的とする。
【課題を解決するための手段】
【０００７】
前記従来の課題を解決するために、本発明の携帯型医療機器は、機器本体の内部または外部に電池を収納する電池収納部と、前記電池収納部を覆う電池蓋とを有し、前記電池蓋は、電池の出し入れを補助するガイド機構を備えたことを特徴としたものである。
【０００８】
また、本発明は、前記ガイド機構は、前記電池蓋の裏面に配置され、突起または溝であることを特徴としたものである。
【０００９】
また、本発明は、前記突起は２個以上有し、前記電池を前記突起により挟む構成としたことを特徴としたものである。
【００１０】
また、本発明は、前記溝の形状は前記電池の外形の少なくとも一部に合った形状としたことを特徴としたものである。
【００１１】
また、本発明は、機器本体の内部または外部に電池を収納する電池収納部と、前記電池収納部を覆う電池蓋とを有し、前記電池蓋はヒンジ部を有し、前記ヒンジ部を介して前記機器本体と一体に構成され、前記ヒンジ部にある支点を中心として所定の角度で開放されることを特徴としたものである。
【００１２】
また、本発明は、前記電池蓋は、電池の出し入れを補助するガイド機構を備えたことを特徴としたものである。
【００１３】
また、本発明は、前記電池蓋は所定の角度で開放された時、開放された状態を維持する電池固定機構が設けられたことを特徴としたものである。
【００１４】
また、本発明は、前記電池蓋に所定以上の開放するための力が作用すると、機器本体と前記ヒンジ部の係合が解除され、前記電池蓋は前記機器本体から分離することを特徴としたものである。
【００１５】
また、本発明は、前記電池蓋は前記機器本体に対してスライドする機構が設けられており、このスライドにより前記電池蓋が前記機器本体に係止されることを特徴としたものである。
【発明の効果】
【００１６】
本発明の携帯型医療機器によれば、視覚障害者も電池の交換が容易にでき、機器の操作性が大きく向上する。
【発明を実施するための最良の形態】
【００１７】
以下に、本発明の携帯型医療機器の実施の形態を図面とともに詳細に説明する。
【００１８】
（実施の形態１）
図１は、本発明の第１の実施の形態における携帯型医療機器のガイドリブを使用した電池蓋及びその周辺の構成図を示す。図１において、図９と同一構成要素については同一符号を付す。また図２および図３において、電池収納部２の詳細を示す。
【００１９】
機器本体１に左右のヒンジ４を介して電池蓋３が取り付けられている。電池蓋３は指で機器本体１からスライドさせることによりロック部５が解除される。その際電池蓋３は、左右のヒンジ４がスライド溝１０をロック部５が解除され、スライド溝１０と一体になっているヒンジ固定凸部１１を乗り越えるまでスライドしてロック停止する。
【００２０】
そして、その停止位置で左右のヒンジ４を中心に電池蓋３が回転し、機器本体１と電池収納部２に装着された電池８の上面に対して開角が約１２０°±３０°の範囲の角度で電池蓋３が固定される。電池蓋３は約６０°以下にするのが電池８の挿入には好ましい。電池蓋３の裏側に電池８を挟み込むように２本の突起部であるガイドリブ９がある。このガイドリブ９に挟まれるように電池８を置くだけで、電池８をスライドでき、容易に電池収納部２に挿入することが可能になる。
【００２１】
図４には本発明の第１の実施の形態における電池蓋３の詳細図を示す。図４において、図９、図１、図２および図３と同一構成要素については同一符号を付す。電池蓋３の表面には指が引っかかりやすいように凸部１２が設けられている。
【００２２】
左右のヒンジ４は電池蓋３と一体で樹脂成形されている。左右のヒンジ４には円柱突起部１３が設けられており、この円柱突起部１３が機器本体１のスライド溝１０にはめ込まれることにより、電池蓋３は、前記スライド溝１０に沿って摺動することができる。
【００２３】
したがって、電池蓋３を開角約１２０°よりさらに開放しようとすると左右のヒンジ４が内側にたわみ、円柱突起部１３のＣ面カット部１４により円柱突起部１３がスライド溝１０から外れ電池蓋３が機器本体１から分離されるので、機器本体１の落下などにより電池蓋３に異常な外力が加わっても、電池蓋３は機器本体１から分離するため破損しないような構造になっている。
【００２４】
また、左右のヒンジ４の先端には半円凸部１５が施されており、電池蓋３の開放は機器本体１の誘い溝１６へ、半円凸部１５が電池蓋３の回転によって落ち込むことにより、本体表面と約６０°で固定される。
【００２５】
以上のように本発明の実施の形態１に記載の携帯型医療機器によれば、電池蓋をヒンジを介して機器本体と一体になるようにし、さらに電池を出し入れするための補助機能を有するガイドを備えたため、血糖病患者に多い視覚障害者であっても容易に電池交換を行うことが可能となる。
【００２６】
さらに、異常な外力が加わったときにはヒンジが内側にたわんで機器本体から外れるようにしたため、電池交換中に落下した場合においても電池蓋が破損しないという効果を有する。
【００２７】
（実施の形態２）
図５は本発明の第２の実施の形態における、別のガイドリブを使用した電池蓋及びその周辺の構成図を示す。図５において、図９、図２および図３と同一構成要素については同一符号を付す。また図５および図６において、電池収納部２の詳細を示す。電池蓋３が実施の形態１の場合とは反対側に開放される。図５において、機器本体１に左右のヒンジ４を介して電池蓋３が取り付けられている。
【００２８】
電池蓋３は指で機器本体１からスライドさせることによりロック部５が解除される。その際電池蓋３は、左右のヒンジ４がスライド溝１０をロック部５が解除され、スライド溝１０と一体になっているヒンジ固定凸部１１を乗り越えるまでスライドしてロック停止する。
【００２９】
そして、その停止位置で左右のヒンジ４を中心に電池蓋３が回転し、機器本体１と約６０°の角度で電池蓋３が固定される。電池蓋３は約６０°以下にするのが、電池８の挿入には好ましい。電池蓋３の裏側に電池８を挟み込むように２本のガイドリブ９がある。
【００３０】
このように本発明の第２の実施の形態によれば、ガイドリブ９に沿って電池８を設置するだけで、電池８をスライドできるため、容易に電池収納部２に挿入することが可能になる。
【００３１】
（実施の形態３）
図８は、本発明の第３の実施の形態における携帯型医療機器のガイド溝を使用した電池蓋及びその周辺の構成図を示す。図８において、図９、図２および図３と同一構成要素については同一符号を付す。機器本体１に左右のヒンジ４を介して電池蓋３が取り付けられている。
【００３２】
電池蓋３は指で機器本体１からスライドさせることによりロック部５が解除される。その際電池蓋３は、左右のヒンジ４がスライド溝１０をロック部５が解除され、スライド溝１０と一体になっているヒンジ固定凸部１１を乗り越えるまでスライドしてロック停止する。
【００３３】
そして、その停止位置で左右のヒンジ４を中心に電池蓋３が回転し、機器本体１と約９０°の角度で電池蓋３が固定される。電池蓋３の裏側に電池８の外形形状と同じ断面が円弧形状のガイド溝１７が設けられている。
【００３４】
このように本発明の第３の実施の形態によれば、このガイド溝１７に沿って電池８を挿入することにより、容易に電池収納部２に挿入することが可能になる。
【産業上の利用可能性】
【００３５】
本発明にかかる携帯型医療機器は、電池の交換が容易にでき、機器の操作性が大きく向上するため、携帯型血糖測定装置等として有用である。
【図面の簡単な説明】
【００３６】
【図１】本発明の実施の形態１におけるガイドリブを使用した電池蓋及びその周辺の構成図
【図２】本発明の実施の形態１における電池収納部の詳細図
【図３】本発明の実施の形態１における電池収納部のＡ−Ａ断面図
【図４】本発明の実施の形態１におけるガイドリブを使用した電池蓋の詳細図
【図５】本発明の実施の形態２における別のガイドリブを使用した電池蓋及びその周辺の構成図
【図６】本発明の実施の形態２における電池収納部の詳細図
【図７】本発明の実施の形態２における電池収納部のＢ−Ｂ断面図
【図８】本発明の実施の形態３におけるガイド溝を使用した電池蓋及びその周辺の構成図
【図９】従来の携帯型医療機器の電池蓋の構成図
【符号の説明】
【００３７】
１  機器本体
２  電池収納部
３  電池蓋
４  ヒンジ
５  ロック部
６  電池押さえ溝
７  電池固定溝
８  電池
９  ガイドリブ
１０  スライド溝
１１  ヒンジ固定凸部
１２  凸部
１３  円柱突起部
１４  Ｃ面カット部
１５  半円凸部
１６  誘い溝
１７  ガイド溝
【図１】
2010040290.tif 000003
【図２】
2010040290.tif 000004
【図３】
2010040290.tif 000005
【図４】
2010040290.tif 000006
【図５】
2010040290.tif 000007
【図６】
2010040290.tif 000008
【図７】
2010040290.tif 000009
【図８】
2010040290.tif 000010
【図９】
2010040290.tif 000011